(57)【要約】【課題】前かがみになりがちな姿勢を正すような矯正効果や、落ちた肩を持ち上げるような矯正効果、すなわち筋肉を正常位置に引き戻すような矯正効果を得る。【解決手段】肩紐３は、その一端部から第１の所定長さ部分３ａが、カップ部材１の外側上縁部１ａから脇部材２の脇下部分に至る第１上縁部２ａに沿う第１縫着ラインＬ１に縫着され、他の一端部から第２の所定長さ部分３ｂが、脇部材２の脇下部分から背中中央部に至る第２上縁部２ｂに沿う第２縫着ラインＬ２に縫着されている。このような縫着構造において、肩紐３は幅広に形成されており、この幅広の肩紐３の一側縁３１より所定幅の縫い代部分３２のみがカップ部材１の外側上縁部１ａと脇部材２の第１上縁部２ａに沿って縫着されている【選択図】　図１
2004052123.tif 000002
【特許請求の範囲】
【請求項１】
カップ部材と脇部材とからなるブラジャー本体に縫着される肩紐であって、
前記肩紐が、脇の後ろ下部から脇下を通り肩部分を回って背中中央部の止め具部まで達する幅広の１本の伸縮性紐状部材で形成されており、この幅広の伸縮性紐状部材の一側縁部のみが前記ブラジャー本体の縁部に沿って縫着されていることを特徴とするブラジャーの肩紐。
【請求項２】
前記伸縮性紐状部材の一側縁より所定幅分が前記ブラジャー本体の縁部に沿って縫着される縫い代部分に形成され、この縫い代部分より他側縁までの残り幅部分は前記ブラジャー本体の縁部に縫着されず、伸縮作用を十分に発揮し得るフリー部分となっていることを特徴とする請求項１に記載のブラジャーの肩紐。
【請求項３】
前記伸縮性紐状部材の幅が２０ｍｍ前後の広幅に形成されるとともに、前記縫い代部分の幅が５ｍｍ前後に形成され、前記フリー部分の幅が１５ｍｍ前後に形成されていることを特徴とする請求項２に記載のブラジャーの肩紐。
【発明の詳細な説明】
【０００１】
【発明の属する技術分野】
本発明は、カップ部材と脇部材とからなるブラジャー本体に縫着されるブラジャーの肩紐に係り、特に、背中の筋肉（濶背筋、大円筋、三角筋等）や脇の下から胸元にかけての筋肉（側鋸筋や大胸筋）を全体的に上方に引き上げるように動かすことによって、前かがみになりがちな姿勢を正すような矯正効果や、落ちた肩を持ち上げるような矯正効果を得るとともに、バストラインを美しく整えることのできるブラジャーの肩紐に関する。
【０００２】
【従来の技術】
女性用被服である例えばブラジャー、ボディースーツなどの肌着類は、女性のバストの形を整えてシルエットを美しく見せるために、従来、様々な工夫がなされている。
【０００３】
例えば、膨らみのあるカップ部を設けて、バスト部分の形を直接的に整えるようにするものの他、カップ部の周囲にワイヤーを入れたり、乳房を持ち上げるように作用する力や中央部に寄せるように作用する力が働くように、カップ部の周辺部に伸縮性の布片を縫い合わせるなどの工夫を凝らしたものなどがある。
【０００４】
また、カップ部に直接作用させるのではなく、脇の部分の肉を前に寄せるようにすることによって、バストアップとともに、脇の下にはみ出した肉部分を肌着内に押さえ込むようにしたものもある。
【０００５】
これら従来の女性用肌着は、いずれも外観のシルエットを如何に美しく見せるかといった点に重点が置かれているが、人体の構造（すなわち、筋肉の付き方や動き方等）まで考慮されたものではない。
【０００６】
【発明が解決しようとする課題】
そのため、例えば、脇の部分の肉を前に寄せるようにして、脇の下にはみ出した肉部分を肌着内に押さえ込むようにしたものでは、図５に示すように、ホルダー部８１の素材として横方向に伸縮する布片を用いている。そして、体９１に装着したとき、ホルダー部８１の収縮力（横方向に働く力：矢符ａにより示す）によって脇の部分の肉８２を前に寄せるとともに、ホルダー部８１の締め付け力によって脇の下にはみ出した肉部分をホルダー部８１内に押さえ込むようになっている。
【０００７】
つまり、脇の下にはみ出した肉部分をホルダー部８１内に押さえ込むことは、脇の下のはみ出した肉部分を下側へ引き下げることを意味している。
【０００８】
ところで、腕を上げたとき、脇の下の筋肉（すなわち、側鋸筋や濶背筋）は、図８及び図９に矢符で示す方向に動く。すなわち、脇から肩の方向に向かって動くことになる。つまり、図５に示した女性用肌着では、ホルダー部８１の部分でこのような筋肉の動きを規制することになるため、体にとって好ましいものではなかった。
【０００９】
また、体の老化や疲労などによって、肩の筋肉や背中の筋肉（僧帽筋、濶背筋、大円筋、三角筋等）、さらには脇の下から胸元にかけての筋肉（側鋸筋や大胸筋）の筋力が落ちるため、肩が下がって見えたり、左右の肩のラインが揃わなく見えたり、前かがみの姿勢になったりするが、従来の女性用下着では、このような肩のさがりやアンバランス、前かがみになるといった姿勢を矯正するようなものまでは提供されていないのが現状である。また、姿勢を矯正することは、バストラインや脇のラインを美しくみせる前提条件でもある。
【００１０】
ところで、特開平９−３７０８号公報には、肩紐を伸縮性テープによって円形ないし楕円形のループ形状に形成した女性用被服が提案されている。この女性用被服では、肩紐をループ形状としたことによって、主に脇の下の筋肉である側鋸筋を直接上方に引き上げる力が働くが、背中側の濶背筋や大円筋については直接作用しないので、いわゆる姿勢を正す矯正効果まで得られるものではない。また、この女性用被服は、裁縫という視点から見た場合、ループ形状に形成した伸縮性テープをカップ部の外側上縁からホルダー部の上縁にかけて縫着する必要があるため、縫着作業がやりにくいといった問題もある。
【００１１】
なお、従来より、いわゆる矯正ブラといわれるものがあるが、これは例えば、ショルダーストラップを背中で交差するように配置し、かつショルダーストラップに強い収縮性を持たせることによって、両肩を強制的に後方に引き寄せるものであり、人体の構造、特に筋肉の付き方や動き方を考慮したものではない。
【００１２】
本発明はこのような問題点を解決すべく創案されたもので、その目的は、特に背中の筋肉や脇の下の筋肉の付き方、動き方を考慮し、背中の筋肉（僧帽筋、濶背筋、大円筋、三角筋等）や脇の下から胸元にかけての筋肉（側鋸筋や大胸筋）を筋肉の動きに沿って全体的に（かつ同時に）上方に押し上げるように（又は引き上げるように）作用することによって、前かがみになりがちな姿勢を正すような矯正効果や、落ちた肩を持ち上げるような矯正効果、すなわち筋肉を正常位置に引き戻すような矯正効果を十分に発揮することのできるブラジャーの肩紐を提供することにある。
【００１３】
【課題を解決するための手段】
上記課題を解決するため、本発明の請求項１記載のブラジャーの肩紐は、カップ部材と脇部材とからなるブラジャー本体に縫着される肩紐であって、前記肩紐が、脇の後ろ下部から脇下を通り肩部分を回って背中中央部の止め具部まで達する幅広の１本の伸縮性紐状部材で形成されており、この幅広の伸縮性紐状部材の一側縁部のみが前記ブラジャー本体の縁部に沿って縫着されていることを特徴としている。
【００１４】
すなわち、肩紐を幅広の１本の伸縮性紐状部材で形成し、かつ、その全体をいわゆる略ρ型形状に形成してブラジャー本体に縫着している。この際、体に装着されたブラジャー本体が筋肉や皮膚の動きに自然によくついていくようにするために、本発明では伸縮性とフィット感に優れた幅広（例えば、２０ｍｍ前後の幅）の肩紐を採用し、かつ、本来の伸縮性を最大限活かすために、ブラジャー本体の縁部に沿って縫着する部分として、肩紐の一側縁より所定幅部分（例えば、５ｍｍ前後の幅部分）を縫い代部分とし、この縫い代部分から他側縁までの残り幅部分（すなわち、１５ｍｍ前後の幅部分）は縫着せず、伸縮作用を十分に発揮し得るフリー部分としている。
【００１５】
これにより、ブラジャーを体に装着したときの肩紐の作用によって、脇の下から胸元にかけての筋肉（側鋸筋や大胸筋）が前方向から肩方向に強く引き上げられるとともに、背中の筋肉（僧帽筋、濶背筋、大円筋、三角筋等）も肩方向に向かって斜め上方に引き上げられるので、肩の下がりや前かがみの姿勢が自然に矯正されることになる。
【００１６】
因みに、このような肩紐の形状自体、すなわち全体をいわゆる略ρ型形状に形成してブラジャー本体に縫着する構造自体については、特公昭４０−２１０９８号公報の第２図にも開示されており、また、本出願人においても特開平１１−１５２６０８号公報において開示している。しかしながら、このブラジャーは、図１０（ａ），（ｂ）に示すように、肩紐３０１の幅全体をブラジャー本体３０２の縁部に重ね合わせ、その重ね合わせた全体を縫着していたため、縫着部分では伸縮性が低下し、姿勢を正すような矯正効果や、落ちた肩を持ち上げるような矯正効果が十分に得られない場合があるといった問題が残されていたが、本発明の構造とすることにより、このような問題が解決され、より矯正効果に優れたブラジャーを提供できるものである。
【００１７】
【発明の実施の形態】
以下、本発明の実施の形態について図面を参照して説明する。
【００１８】
図１は本発明の肩紐を有するブラジャーの斜視図、図２は本発明の特徴部分である縫着部の拡大図　図３は体に装着した状態の斜視図、図４は背面図である。
【００１９】
このブラジャーは、カップ部材１と、このカップ部材１を体に保持するための脇部材２と、肩紐３と、脇部材２のそれぞれの先端部２ｄ，２ｄに取り付けられた互いに掛止する止め具部（止め金及びフックアイ）４ａ，４ｂとからなっている。
【００２０】
本発明は、特に肩紐３の形状及び縫着構造に特徴を有するものである。
【００２１】
すなわち、肩紐３は、長手方向（図１中、矢符Ａ方向）に伸縮可能な所定幅（本実施形態では２０ｍｍ前後）の１本の紐状部材で形成されている。
【００２２】
ここで、肩紐３は、その一端部から第１の所定長さ部分３ａが、カップ部材１の外側上縁部１ａから脇部材２の脇下部分に至る第１上縁部２ａに沿う第１縫着ラインＬ１に縫着され、他の一端部から第２の所定長さ部分３ｂが、脇部材２の脇下部分から背中中央部に至る第２上縁部２ｂに沿う第２縫着ラインＬ２に縫着されている。すなわち、肩紐３は、第１縫着ラインＬ１を経て肩紐部分３ｃとなり、さらに第２縫着ラインＬ２を経て止め金４ａ（又はフックアイ４ｂ）まで達するように縫着されており、その全体が略ρ型形状となっている。また、第１縫着ラインＬ１と第２縫着ラインＬ２との共通の端部２ｃでは、肩紐３が交差し、その交差部分が縫着された構造となっている。
【００２３】
第１縫着ラインＬ１は、体２１に装着したときに、体２１の前脇部２３から脇下部２２を経て後脇部２４までのラインに沿うような湾曲状に形成されている（図３及び図４参照）。また、第２縫着ラインＬ２は、体２１に装着したとき、背中の筋肉（濶背筋や大円筋等）にほぼ沿うように形成されている（図４参照）。
【００２４】
図２は、第１縫着ラインＬ１の縫着構造、すなわち肩紐３の第１の所定長さ部分３ａの縫着構造を示している。
【００２５】
上記したように、肩紐３は幅広に形成されており、その幅は２０ｍｍ前後の幅となっている。そして、この幅のうち、第１縫着ラインＬ１に縫着する部分として、肩紐３の一側縁３１より５ｍｍ前後の幅部分を縫い代部分３２としている。つまり、カップ部１の外側上縁部１ａ及び脇部材２の第１上縁部２ａに縫着する部分は、この縫い代部分３２のみであり、この縫い代部分３２から他側縁までの残り幅部分（すなわち、１５ｍｍ前後の幅部分）３３は縫着せず、伸縮作用を十分に発揮し得るフリー部分としたものである。
【００２６】
なお、このような縫着構造は、第１縫着ラインＬ１だけでなく、第２縫着ラインＬ２にも適用可能である。これにより、肩紐３全体の伸縮性を失うことなく、肩紐３の全体にわたって十分な伸縮作用が発揮されることになる。
【００２７】
なお、肩紐３の幅を例えば１５ｍｍとし、縫い代の幅を５ｍｍとすると、伸縮作用を十分に発揮し得るフリー部分が１０ｍｍ幅程度となって、十分な伸縮性が得られない可能性があり、また、肩紐の幅を例えば２５ｍｍや３０ｍｍ幅とし、縫い代の幅を５ｍｍとすると、伸縮作用を十分に発揮し得るフリー部分が２０〜２５ｍｍ幅程度となって、十分な伸縮性が得られるものの、幅が太くなりすぎて体へのフィット感が若干低下する可能性がある。このような理由から、２０ｍｍ前後の幅が十分な伸縮性と体へのフィット感の両方を満足し得る最適な幅と考えられる。
【００２８】
次に、図３及び図４に示す装着時の状態を参照して、本発明に係わるブラジャーの肩紐の矯正作用を具体的に説明する。
【００２９】
すなわち、このブラジャーを体２１に装着したとき、肩２５にかけた肩紐３は、図８及び図９に二点鎖線で示すように、側鋸筋、大胸筋、三角筋、濶背筋の筋肉のひだの先端の位置を通過して背中の中央部まで達しているので、図３及び図４に矢符で示すように、脇下部２２から前脇部２３方向に強く引き上げる力が働いて、この部分の筋肉を動かし（図３参照）、また肩紐３の交差部分である端部２ｃで肩２５方向と背中中央方向（止め金４ａ及びフックアイ４ｂの方向）とに引き合う力が働いて、背中側の筋肉（僧帽筋等）を動かす（図４参照）ことになる。そのため、下がった肩が正常位置に戻ることになる。また、引き上げる力が脇下のぜい肉を強く前へ引き寄せる結果、バストを寄せてアップする効果も得られるものである。このような効果は、上記したように、カップ部１の外側上縁部１ａ及び脇部材２の第１上縁部２ａに縫着する部分が縫い代部分３２のみであり、残り１５ｍｍ前後の幅部分３３は縫着せず、伸縮作用が十分に発揮し得るフリー部分となっていることによって得られる効果である。
【００３０】
また、脇部分２２，２３，２４を上方へ引き上げる力によって、肩２５にかかる肩紐３の力が抜けたように軽く感じられ、装着感も良好なものとなる。
【００３１】
因みに、従来の肩紐８４は、図６に示すものでは単にホルダー部８５の背中部分を上方に引き上げる力しか働かず、図７に示すものではホルダー部８５のホック部分８６を上方へ引き上げる力しか働いていない。つまり、脇部分２２，２３，２４を筋肉（側鋸筋や濶背筋等）の動きに沿って引き上げるといった作用は全く無いものである。
【００３２】
なお、上記実施形態では、本発明をブラジャーの肩紐に適用した場合について説明しているが、本発明はこれに限定されるものではなく、例えば、ピスチェやボディースーツあるいは水着やレオタード等の肩紐としても適用することができる。
【００３３】
【発明の効果】
本発明に係わるブラジャーの肩紐によれば、体に装着したときの肩紐全体の伸縮作用によって、脇の下から胸元にかけての筋肉（側鋸筋や大胸筋）が前方向から肩方向に強く引き上げられるとともに、背中の筋肉（僧帽筋、濶背筋、大円筋、三角筋等）も肩方向に向かって斜め上方に引き上げられるので、肩の下がりが矯正されるとともに、前かがみの姿勢も自然に矯正されるものである。また、肩下がりや前かがみ姿勢が矯正されることによって、肩のラインから胸、脇、背中に至るトータル的なラインが美しく整えられるものである。
【図面の簡単な説明】
【図１】本発明の肩紐を有するブラジャーの斜視図である。
【図２】本発明の特徴部分である縫着部分を示す拡大斜視図である。
【図３】本発明の肩紐を有するブラジャーを体に装着した状態を示す斜視図である。
【図４】本発明の肩紐を有するブラジャーを体に装着した状態を示す背面図である。
【図５】従来の女性用肌着を体に実際に装着した状態を示す斜視図である。
【図６】従来のブラジャーを体に装着した状態を示す背面図である。
【図７】従来のブラジャーを体に装着した状態を示す背面図である。
【図８】脇周辺部の筋肉の状態を示す正面図である。
【図９】脇周辺部の筋肉の状態を示す背面図である。
【図１０】（ａ）は従来のブラジャーの肩紐を示す斜視図、（ｂ）は従来のブラジャーの肩紐の縫着部分を示す拡大斜視図である。
【符号の説明】
１　カップ部材
１ａ　外側上縁部
２　脇部材
２ａ　第１上縁部
２ｂ　第２上縁部
２ｃ　端部
３　肩紐
３ａ　第１の所定長さ部分
３ｂ　第２の所定長さ部分
３ｃ　肩紐部分
４ａ　止め金（止め具部）
４ｂ　フックアイ（止め具部）
３２　縫い代部分
３３　フリー部分
【図１】
2004052123.tif 000003
【図２】
2004052123.tif 000004
【図３】
2004052123.tif 000005
【図４】
2004052123.tif 000006
【図５】
2004052123.tif 000007
【図６】
2004052123.tif 000008
【図７】
2004052123.tif 000009
【図８】
2004052123.tif 000010
【図９】
2004052123.tif 000011
【図１０】
2004052123.tif 000012